(57)【要約】  【課題】主装置を用いた親子電話システムにおいて、親子電話機を複数台設置した場合のコストを低減することができる技術を提供する。  【解決手段】内線ネットワーク４に無線ＡＰ３および親機２１を接続すると共に、無線ＡＰ３を介して内線ネットワーク４に子機２２を接続する。そして、内線ネットワーク４および外線ネットワーク５を収容する主装置１に、親子電話機２を構成する親機２１および子機２２の対応関係を管理させ、親子電話機２に対する音声経路の接続先を、この親子電話機２を構成する親機２１と子機２２との間で、子機２２の親機２１への載置状態に応じて切り替える。【選択図】図１
2008177975.tif 000002
【特許請求の範囲】
【請求項１】
外線および内線を収容する主装置と、前記内線に接続された少なくとも１台の内線電話親機と、少なくとも１台の内線電話子機と、前記内線に接続された無線アクセスポイントと、を有する親子電話システムであって、
前記内線電話子機は、
前記無線アクセスポイントを介して前記内線に接続され、
前記主装置は、
親子電話機を構成する前記内線電話親機と前記内線電話子機との対応関係を記憶した親子関係記憶手段と、
前記親子関係記憶手段を参照し、前記親子電話機に対する音声経路の接続先を、当該親子電話機を構成する前記内線電話親機と前記内線電話子機との間で切り替える音声経路切替手段と、
前記内線電話親機または前記内線電話子機に予め定められた状態の変化が発生した場合、あるいは予め定められた操作が行われた場合に、前記音声経路切替手段に対して、当該内線電話親機または当該内線電話子機を含む前記親子電話機に対する音声経路の接続先の切り替えを指示する制御手段と、を有する
ことを特徴とする親子電話システム。
【請求項２】
請求項１に記載の親子電話システムであって、
前記親子電話機を構成する前記内線電話親機および前記内線電話子機の少なくとも一方は、
当該内線電話子機の当該内線電話親機への載置状態を検出する載置状態検出手段と、
前記載置状態検出手段により検出された載置状態を示す情報を前記主装置に送信する載置状態送信手段と、を有し、
前記主装置は、
前記内線電話親機または前記内線電話子機から載置状態を示す情報を受信する載置状態受信手段をさらに有し、
前記制御手段は、
前記載置状態受信手段により受信した載置状態を示す情報が、前記内線電話子機が当該内線電話子機と前記親子電話機を構成する前記内線電話親機に載置されていることを示している場合に、前記音声経路切替手段に対して、当該親子電話機に対する音声経路の接続先の当該内線電話親機への切り替えを指示し、
前記載置状態受信手段により受信した載置状態を示す情報が、前記内線電話子機が当該内線電話子機と前記親子電話機を構成する前記内線電話親機に載置されていないことを示している場合に、前記音声経路切替手段に対して、当該親子電話機に対する音声経路の接続先の当該内線電話子機への切り替えを指示する
ことを特徴とする親子電話システム。
【請求項３】
請求項２に記載の親子電話システムであって、
前記制御手段は、
呼が着信した場合に、前記載置状態受信手段により、当該呼の宛先である前記親子電話機を構成する前記内線電話親機および前記内線電話子機の少なくとも一方から受信した載置状態を示す情報が、当該内線電話子機が当該内線電話親機に載置されていることを示している場合に、着信音を当該内線電話親機に送出し、当該内線電話子機が当該内線電話親機に載置されていないことを示している場合に、着信音を当該内線電話子機に送出する
ことを特徴とする親子電話システム。
【請求項４】
請求項３に記載の親子電話システムであって、
前記制御手段は、
前記内線電話親機に着信音を送出しているときに、前記載置状態受信手段により、当該内線電話親機あるいは当該内線電話親機と前記親子電話機を構成する前記内線電話子機から受信した載置状態を示す情報が、当該内線電話子機が当該内線電話親機に載置されていないことを示すものに変化した場合に、当該呼に対する応答情報を前記外線に送出する
ことを特徴とする親子電話システム。
【請求項５】
請求項２に記載の親子電話システムであって、
前記制御手段は、
呼を発信する場合に、前記載置状態受信手段により、当該呼の発信元である前記親子電話機を構成する前記内線電話親機および前記内線電話子機の少なくとも一方から受信した載置状態を示す情報が、当該内線電話子機が当該内線電話親機に載置されていることを示している場合に、相手を呼び出し中であることを示す呼出音を当該内線電話親機に送出し、当該内線電話子機が当該内線電話親機に載置されていないことを示している場合に、前記呼出音を当該内線電話子機に送出する
ことを特徴とする親子電話システム。
【請求項６】
請求項５に記載の親子電話システムであって、
前記制御手段は、
前記内線電話親機に呼出音を送出しているときに、前記載置状態受信手段により、当該内線電話親機あるいは当該内線電話親機と前記親子電話機を構成する前記内線電話子機から受信した載置状態を示す情報が、当該内線電話子機が当該内線電話親機に載置されていないことを示すものに変化した場合に、呼出音の送出先を当該内線電話親機から当該内線電話子機に切り替える
ことを特徴とする親子電話システム。
【請求項７】
請求項１乃至６のいずれか一項に記載の親子電話システムであって、
前記制御手段は、
前記親子関係記憶手段を参照し、前記内線電話親機と前記親子電話機を構成する前記内線電話子機が前記無線アクセスポイントの圏外にある場合、前記載置状態受信手段により受信した載置状態を示す情報にかかわらず、前記音声経路切替手段に対して、当該親子電話機に対する音声経路の接続先の当該内線電話親機への切り替えを指示する
ことを特徴とする親子電話システム。
【請求項８】
請求項１乃至７のいずれか一項に記載の親子電話システムであって、
前記内線電話子機は、
当該内線電話子機を含む前記親子電話機に付与された電話番号とは別に、当該内線電話子機に対して付与された電話番号を用いて他端末と通信する単体電話通信手段を有する
ことを特徴とする親子電話システム。
【請求項９】
外線および内線を収容する主装置を用いた親子電話システムの構築方法であって、
前記内線に無線アクセスポイントおよび内線電話親機を接続し、
前記無線アクセスポイントを介して前記内線に、前記内線電話親機と親子電話機を構成する内線電話子機を接続し、
前記主装置に、
前記内線電話親機または前記内線電話子機に予め定められた状態の変化が発生した場合、あるいは予め定められた操作が行われた場合に、前記親子電話機に対する音声経路の接続先を、当該親子電話機を構成する前記内線電話親機と前記内線電話子機との間で切り替えさせる
ことを特徴とする親子電話システムの構築方法。
【発明の詳細な説明】
【技術分野】
【０００１】
本発明は、主装置を用いた親子電話システムの技術に関し、特に親子電話機を複数台設置する場合に好適な親子電話システムの技術に関する。
【背景技術】
【０００２】
特許文献１には、３つのモードで動作するカールコードレス電話システムが開示されている。このカールコードレス電話システムは、子機がカールコードで親機に接続され、親機のハンドセットとして動作するモード、子機が無線で親機に接続し、親子電話機として動作するモード、および、子機が事業所用マルチゾーンコードレス接続装置（自営ＢＳ）経由で構内交換機に接続し、事業所用マルチゾーンコードレス子機として動作するモードを有する。
【０００３】
【特許文献１】特開２００２−１０１４３９号公報
【発明の開示】
【発明が解決しようとする課題】
【０００４】
特許文献１に記載のカールコードレス電話システムは、子機を親子電話機として動作させるために、親機および子機の両方に無線インターフェースを搭載して、子機を親機に無線で接続している。このため、親子電話機１セットあたり２つの無線インターフェースが必要となる。親子電話機を複数台設置すると、設置台数の２倍の無線インターフェースが必要となりコストが嵩む。
【０００５】
本発明は上記事情に鑑みてなされたものであり、本発明の目的は、主装置を用いた親子電話システムにおいて、親子電話機を複数台設置した場合のコストを低減することができる技術を提供することにある。
【課題を解決するための手段】
【０００６】
上記課題を解決するために、本発明では、内線に無線アクセスポイントおよび内線電話親機を接続すると共に、無線アクセスポイントを介して内線に内線電話子機を接続する。そして、内線および外線を収容する主装置に、親子電話機を構成する内線電話親機および内線電話子機の対応関係を管理させ、親子電話機に対する音声経路の接続先を、この親子電話機を構成する内線電話親機と内線電話子機との間で切り替える。
【０００７】
例えば、本発明は、外線および内線を収容する主装置と、前記内線に接続された少なくとも１台の内線電話親機と、少なくとも１台の内線電話子機と、前記内線に接続された無線アクセスポイントと、を有する親子電話システムであって、
前記内線電話子機は、
前記無線アクセスポイントを介して前記内線に接続され、
前記主装置は、
親子電話機を構成する前記内線電話親機と前記内線電話子機との対応関係を記憶した親子関係記憶手段と、
前記親子関係記憶手段を参照し、前記親子電話機に対する音声経路の接続先を、当該親子電話機を構成する前記内線電話親機と前記内線電話子機との間で切り替える音声経路切替手段と、
前記内線電話親機または前記内線電話子機に予め定められた状態の変化が発生した場合、あるいは予め定められた操作が行われた場合に、前記音声経路切替手段に対して、当該内線電話親機または当該内線電話子機を含む前記親子電話機に対する音声経路の接続先の切り替えを指示する制御手段と、を有する。
【発明の効果】
【０００８】
本発明によれば、内線電話親機に、内線電話子機と無線通信するための無線インターフェースを持たせる必要がない。したがって、親子電話機を複数台設置した場合のコストを低減することができる。
【発明を実施するための最良の形態】
【０００９】
以下、本発明の実施の形態について説明する。
【００１０】
図１は、本発明の一実施の形態が適用された親子電話システムの概略構成図である。
【００１１】
図示するように、本実施の形態の親子電話システムは、外線ネットワーク（例えばＷＡＮ）５および内線ネットワーク（例えばＬＡＮ）４を収容する主装置１と、内線ネットワーク４に接続された無線ＡＰ（アクセスポイント）３と、少なくとも１セットの親子電話機２と、を有する。
【００１２】
親子電話機２は、親機２１と、親機２１に載置可能に構成された子機２２と、を有する。親機２１は、内線ネットワーク４に接続されている。子機２２は、無線通信機能を有し、無線ＡＰ３を介して内線ネットワーク４に接続される。
【００１３】
主装置１は、親子電話機２を構成する親機２１および子機２２の対応関係を管理する。また、主装置１は、親子電話機２を構成する親機２１および子機２２の予め定められた状態が変化した場合、あるいは、親子電話機２を構成する親機２１および子機２２の少なくとも一方に予め定められた操作が行われた場合に、この親子電話機２に対する音声経路（通話パス）の接続先を、この親子電話機２を構成する親機２１と子機２２との間で切り替える。
【００１４】
次に、本実施の形態の親子電話システムを構成する各装置について説明する。
【００１５】
先ず、主装置１について説明する。図２は、主装置１の概略構成図である。
【００１６】
図示するように、主装置１は、外線ＩＦ部１１と、内線ＩＦ部１２と、通信制御部１３と、ＧＷ部１４と、ルータ部１５と、呼制御部１６と、経路切替部１７と、親子情報記憶部１８と、主制御部１９と、を有する。
【００１７】
外線ＩＦ部１１は、外線ネットワーク５と接続するためのインターフェースである。
【００１８】
内線ＩＦ部１２は、内線ネットワーク４と接続するためのインターフェースである。
【００１９】
通信制御部１３は、外線ネットワーク５および内線ネットワーク４のそれぞれと通信パケットを送受するために必要な処理（エラー検出、エラー訂正、パケット解析等）を行う。
【００２０】
ＧＷ部１４は、外線ネットワーク５および内線ネットワーム４間を中継するゲートウェイである。
【００２１】
ルータ部１５は、通信パケットのルーティングを行う。
【００２２】
呼制御部１６は、ＳＩＰ等の呼制御プロトコルに従い呼制御処理を行う。
【００２３】
経路切替部１７は、親子電話機２に対する音声経路の接続先を、この親子電話機２を構成する親機２１と子機２２との間で切り替える。
【００２４】
親子情報記憶部１８は、親子電話機２に関する情報（親子情報）を記憶する。図３は、親子情報記憶部１８を模式的に表した図である。図示するように、親子情報記憶部１８には、親子電話機２毎に、親子情報のレコード１８０が登録されている。レコード１８０は、親子電話機２に割り当てられた電話番号を登録するフィールド１８１と、親機２１の識別情報（親機ＩＤ）を登録するフィールド１８２と、子機２２の識別情報（子機ＩＤ）を登録するフィールド１８３と、子機２２の状態（無線ＡＰ３の圏内か、それとも圏外か）を登録するフィールド１８４と、子機２２の親機２１への載置状態（載置か、それとも非載置か）を登録するフィールド１８５と、親子電話機２のフック状態（オンフックか、それともオフフックか）を登録するフィールド１８６と、を有する。ここで、載置状態とは親機２１の台座に子機２２が搭載されているか否かを意味する。フック状態とは、親子電話機２が呼の処理ができるか否か、つまりオンフック状態とは発着信ができる状態のことであり、オフフック状態とは発着信が受け取れない状態（話中等）を意味する。
【００２５】
そして、主制御部１９は、主装置１の各部１１〜１８を統括的に制御する。
【００２６】
図４は、主装置１の動作を説明するためのフロー図である。
【００２７】
主制御部１９は、外線ＩＦ部１１、通信制御部１３、ルータ部１５、およびＧＷ部１４を介して、外線ネットワーク５から呼データを受信すると（Ｓ１１でＹＥＳ）、この呼データを呼制御部１６に渡す。これを受けて、呼制御部１６は、主制御部１９と連携して、後述する着信処理を行う（Ｓ１２）。
【００２８】
また、主制御部１９は、内線ＩＦ部１２、通信制御部１３、ルータ部１５、およびＧＷ部１４を介して、内線ネットワーク４から通話ボタンが「オン」になったことを示す制御データを受信すると（Ｓ１３でＹＥＳ）、この制御データを呼制御部１６に渡す。これを受けて、呼制御部１６は、主制御部１９と連携して、後述する発信処理を行う（Ｓ１４）。
【００２９】
また、主制御部１９は、内線ＩＦ部１２、通信制御部１３、ルータ部１５、およびＧＷ部１４を介して、内線ネットワーク４から管理データを受信すると（Ｓ１５でＹＥＳ）、この管理データを用いて親子情報記憶部１８を更新する（Ｓ１６）。
【００３０】
具体的には、電話番号と子機状態とを含む管理データを受信した場合、この管理データに含まれている電話番号をキーにして親子情報記憶部１８からレコード１８０を検索する。そして、検索したレコード１８０に含まれている子機状態を、この管理データに含まれている子機状態に更新する。また、電話番号と載置状態とを含む管理データを受信した場合、この管理データに含まれている電話番号をキーにして親子情報記憶部１８からレコード１８０を検索する。そして、検索したレコード１８０に含まれている載置状態を、この管理データに含まれている載置状態に更新する。
【００３１】
図５は、主装置１の着信処理（図４のＳ１２）を説明するためのフロー図である。
【００３２】
先ず、呼制御部１６は、主制御部１９と連携して、呼データの宛先となる親子電話機２の親子情報を確認する（Ｓ１２１）。
【００３３】
具体的には、主制御部１９が、呼データの着番号をキーにして親子情報記憶部１８からレコード１８０を検索する。そして、検索したレコード１８０のフィールド１８２〜１８６に登録されている親機ＩＤ、子機ＩＤ、子機状態、載置状態、およびフック状態を、呼制御部１６に通知する。
【００３４】
フック状態が「オフフック」の場合（Ｓ１２２で「オフ」）、呼制御部１６は、ＧＷ部１４、ルータ部１５、通信制御部１３、および外線ＩＦ部１１を介して、呼データの送信元にビジートーンを送出する等の話中処理を行う（Ｓ１２３）。
【００３５】
また、フック状態が「オンフック」であり（Ｓ１２２で「オン」）、且つ載置状態が親機２１に子機２２が搭載されていることを示している場合（Ｓ１２４で「載置」）、呼制御部１６は、後述する親機着信処理を行う（Ｓ１２６）。
【００３６】
また、フック状態が「オンフック」であり（Ｓ１２２で「オン」）、載置状態が親機２１に子機２２が搭載されていないことを示しており（Ｓ１２４で「非載置」）、且つ子機状態が無線ＡＰ３の圏外である場合も（Ｓ１２５で「圏外」）、呼制御部１６は、後述する親機着信処理を行う（Ｓ１２６）。
【００３７】
また、フック状態がオンフックであり（Ｓ１２２で「オン」）、載置状態が親機２１に子機２２が搭載されていないことを示しており（Ｓ１２４で「非載置」）、且つ子機状態が無線ＡＰ３の圏内である場合（Ｓ１２５で「圏内」）、呼制御部１６は、後述する子機着信処理を行う（Ｓ１２７）。
【００３８】
図６は、主装置１の親機着信処理（図５のＳ１２６）を説明するためのフロー図である。
【００３９】
先ず、呼制御部１６は、ＧＷ部１４、ルータ部１５、通信制御部１３、および内線ＩＦ部１２を介して、図５のＳ１２１で確認した親機ＩＤにより特定される親機２１に着信通知を送出する（Ｓ１２６０１）。それから、呼制御部１６は、内線ＩＦ部１２、通信制御部１３、ルータ部１５、およびＧＷ部１４を介して、この親機２１から着信通知に対するＡＣＫデータを受信する。そして、ＧＷ部１４、ルータ部１５、通信制御部１３、および外線ＩＦ部１１を介して、このＡＣＫデータを呼データの送信元に転送する（Ｓ１２６０２）。
【００４０】
次に、呼制御部１６は、外線ＩＦ部１１、通信制御部１３、ルータ部１５、およびＧＷ部１４を介して、呼データの送信元から着信音データを受信し、この着信音データと着信したことを表示するための着信表示データとを、ＧＷ部１４、ルータ部１５、通信制御部１３、および内線ＩＦ部１２を介して、図５のＳ１２１で確認した親機ＩＤにより特定される親機２１に転送する（Ｓ１２６０３）。なお、本実施の形態では、着信音データを呼データの送信元から受信する場合について説明しているが、着信音データを主装置１が有し、呼データの送信元から特定の制御コマンドが送信されると、主装置１が着信音データを送信してもよい。
【００４１】
さて、子機状態が圏外である場合（Ｓ１２６０４でＹＥＳ）、呼制御部１６は、内線ＩＦ部１２、通信制御部１３、ルータ部１５、およびＧＷ部１４を介して、この親機２１から通話ボタン（ハンズフリーボタン）が「オン」になったことを示す制御データを受信したならば（Ｓ１２６０５でＹＥＳ）、主制御部１９に対して、音声経路の親機２１への切り替えを依頼する。これを受けて、主制御部１９は、経路切替部１７を制御し、呼データの送信元と、図５のＳ１２１で確認した親機ＩＤにより特定される親機２１との間に音声経路を設定する（Ｓ１２６０６）。その後、呼制御部１６は、ＧＷ部１４、ルータ部１５、通信制御部１３、および外線ＩＦ部１１を介して、呼データの送信元に接続応答データを送出する（Ｓ１２６０７）。
【００４２】
これにより、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図５のＳ１２１で確認した親機ＩＤにより特定される親機２１に転送する。また、内線ＩＦ部１２、通信制御部１３、ルータ部１５、およびＧＷ部１４を介して、図５のＳ１２１で確認した親機ＩＤにより特定される親機２１から受信した音声データを、ＧＷ部１４、ルータ部１５、通信制御部１３、および外線ＩＦ部１１を介して、呼データの送信元に転送する。
【００４３】
それから、呼制御部１６は、主制御部１９と連携して、親子電話機２の親子情報を更新する（Ｓ１２６０８）。具体的には、主制御部１９が、図５のＳ１２１で検索したレコード１８０のフィールド１８６に登録されているフック状態を「オンフック」から「オフフック」に更新する。
【００４４】
一方、子機状態が圏内である場合（Ｓ１２６０４でＮＯ）には、主制御部１９は、内線ＩＦ部１２、通信制御部１３、ルータ部１５、およびＧＷ部１４を介して、この親機２１から通話ボタン（ハンズフリーボタン）が「オン」になったことを示す制御データを受信すれば（Ｓ１２６０９でＹＥＳ）、子機状態が圏外である場合と同様、Ｓ１２６０６〜Ｓ１２６０８の処理を実行する。また、主制御部１９は、通話ボタンが「オン」になったことを示す制御データを受信せずに、内線ＩＦ部１２、通信制御部１３、ルータ部１５、およびＧＷ部１４を介して内線ネットワーク４から、呼データの着番号および載置状態「非載置」を含む管理データを受信すれば（Ｓ１２６１０でＹＥＳ）、図５のＳ１２１で検索したレコード１８０のフィールド１８５に登録されている載置状態を、「載置」から「非載置」に更新する。また、ＧＷ部１４、ルータ部１５、通信制御部１３、および内線ＩＦ部１２を介して、図５のＳ１２１で確認した親機ＩＤ、子機ＩＤにより特定される親機２１、子機２２のそれぞれに、親機２１から子機２２への音声経路の切り替えを示す経路切替通知を送出する（Ｓ１２６１１）。
【００４５】
次に、主制御部１９は、経路切替部１７を制御し、呼データの送信元と、図５のＳ１２１で確認した子機ＩＤにより特定される子機２２との間に音声経路を設定する（Ｓ１２６１２）。その後、呼制御部１６は、ＧＷ部１４、ルータ部１５、通信制御部１３、および外線ＩＦ部１１を介して、呼データの送信元に接続応答データを送出する（Ｓ１２６１３）。
【００４６】
これにより、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図５のＳ１２１で確認した子機ＩＤにより特定される子機２２に転送する。また、内線ＩＦ部１２、通信制御部１３、ルータ部１５、およびＧＷ部１４を介して、図５のＳ１２１で確認した子機ＩＤにより特定される子機２２から受信した音声データを、ＧＷ部１４、ルータ部１５、通信制御部１３、および外線ＩＦ部１１を介して、呼データの送信元に転送する。
【００４７】
それから、呼制御部１６は、主制御部１９と連携して、親子電話機２の親子情報を更新する（Ｓ１２６１４）。具体的には、主制御部１９が、図５のＳ１２１で検索したレコード１８０のフィールド１８６に登録されているフック状態を「オンフック」から「オフフック」に更新する。
【００４８】
図７は、主装置１の子機着信処理（図５のＳ１２７）を説明するためのフロー図である。
【００４９】
先ず、呼制御部１６は、ＧＷ部１４、ルータ部１５、通信制御部１３、および内線ＩＦ部１２を介して、図５のＳ１２１で確認した子機ＩＤにより特定される子機２２に着信通知を送出する（Ｓ１２７０１）。それから、呼制御部１６は、内線ＩＦ部１２、通信制御部１３、ルータ部１５、およびＧＷ部１４を介して、この子機２２から着信通知に対するＡＣＫデータを受信する。そして、ＧＷ部１４、ルータ部１５、通信制御部１３、および外線ＩＦ部１１を介して、このＡＣＫデータを呼データの送信元に転送する（Ｓ１２７０２）。
【００５０】
次に、呼制御部１６は、外線ＩＦ部１１、通信制御部１３、ルータ部１５、およびＧＷ部１４を介して、呼データの送信元から着信音データを受信し、この着信音データを、ＧＷ部１４、ルータ部１５、通信制御部１３、および内線ＩＦ部１２を介して、図５のＳ１２１で確認した子機ＩＤにより特定される子機２２に転送する（Ｓ１２７０３）。また、着信したことを表示するための着信表示データを、ＧＷ部１４、ルータ部１５、通信制御部１３、および内線ＩＦ部１２を介して、図５のＳ１２１で確認した親機ＩＤにより特定される親機２１に送出する。
【００５１】
なお、本実施の形態では説明していないが、例えば子機２２にＬＣＤ等の表示機能がある場合、着信表示データをＧＷ部１４、ルータ部１５、通信制御部１３、および内線ＩＦ部１２を介して、図５のＳ１２１で確認した子機ＩＤにより特定される子機２２に、またはこの子機２２と親機２１の両方に転送してもよい。
【００５２】
また、着信音データをＧＷ部１４、ルータ部１５、通信制御部１３、および内線ＩＦ部１２を介して、図５のＳ１２１で確認した親機ＩＤにより特定される親機２１に、またはこの親機２１と子機２２の両方に送出してもよい。
【００５３】
さて、呼制御部１６は、着信音データの転送中に、内線ＩＦ部１２、通信制御部１３、ルータ部１５、およびＧＷ部１４を介して、この子機２２から通話ボタンが「オン」になったことを示す制御データを受信したならば（Ｓ１２７０４でＹＥＳ）、主制御部１９に対して、音声経路の子機２２への切り替えを依頼する。これを受けて、主制御部１９は、経路切替部１７を制御し、呼データの送信元と、図５のＳ１２１で確認した子機ＩＤにより特定される子機２２との間に音声経路を設定する（Ｓ１２７０５）。その後、呼制御部１６は、ＧＷ部１４、ルータ部１５、通信制御部１３、および外線ＩＦ部１１を介して、呼データの送信元に接続応答データを送出する（Ｓ１２７０６）。
【００５４】
これにより、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図５のＳ１２１で確認した子機ＩＤにより特定される子機２２に転送する。また、内線ＩＦ部１２、通信制御部１３、ルータ部１５、およびＧＷ部１４を介して、図５のＳ１２１で確認した子機ＩＤにより特定される子機２２から受信した音声データを、ＧＷ部１４、ルータ部１５、通信制御部１３、および外線ＩＦ部１１を介して、呼データの送信元に転送する。
【００５５】
それから、呼制御部１６は、主制御部１９と連携して、親子電話機２の親子情報を更新する（Ｓ１２７０７）。具体的には、主制御部１９が、図５のＳ１２１で検索したレコード１８０のフィールド１８６に登録されているフック状態を「オンフック」から「オフフック」に更新する。
【００５６】
また、主制御部１９は、着信音データの転送中に、内線ＩＦ部１２、通信制御部１３、ルータ部１５、およびＧＷ部１４を介して内線ネットワーク４から、呼データの着番号および載置状態「載置」を含む管理データを受信すると（Ｓ１２７０８でＹＥＳ）、図５のＳ１２１で検索したレコード１８０のフィールド１８５に登録されている載置状態を、「非載置」から「載置」に更新する。また、ＧＷ部１４、ルータ部１５、通信制御部１３、および内線ＩＦ部１２を介して、図５のＳ１２１で確認した親機ＩＤ、子機ＩＤにより特定される親機２１、子機２２のそれぞれに、子機２２から親機２１への音声経路の切り替えを示す経路切替通知を送出する（Ｓ１２７０９）。
【００５７】
次に、主制御部１９は、経路切替部１７を制御し、呼データの送信元と、図５のＳ１２１で確認した親機ＩＤにより特定される親機２１との間に音声経路を設定する（Ｓ１２７１０）。その後、呼制御部１６は、ＧＷ部１４、ルータ部１５、通信制御部１３、および外線ＩＦ部１１を介して、呼データの送信元に接続応答データを送出する（Ｓ１２７１１）。
【００５８】
これにより、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図５のＳ１２１で確認した親機ＩＤにより特定される親機２１に転送する。また、内線ＩＦ部１２、通信制御部１３、ルータ部１５、およびＧＷ部１４を介して、図５のＳ１２１で確認した子機ＩＤにより特定される子機２２から受信した音声データを、ＧＷ部１４、ルータ部１５、通信制御部１３、および外線ＩＦ部１１を介して、呼データの送信元に転送する。
【００５９】
それから、呼制御部１６は、主制御部１９と連携して、親子電話機２の親子情報を更新する（Ｓ１２７１２）。具体的には、主制御部１９が、図５のＳ１２１で検索したレコード１８０のフィールド１８６に登録されているフック状態を「オンフック」から「オフフック」に更新する。
【００６０】
図８は、主装置１の発信処理（図４のＳ１４）を説明するためのフロー図である。
【００６１】
先ず、呼制御部１６は、主制御部１９と連携して、制御データの送信元である親子電話機２の親子情報を確認する（Ｓ１４１）。具体的には、主制御部１９が、制御データの送信元（親機２１または子機２２）のＩＤ（親機ＩＤまたは子機ＩＤ）をキーにして親子情報記憶部１８からレコード１８０を検索する。そして、検索したレコード１８０のフィールド１８１〜１８６に登録されている、電話番号、親機ＩＤ、子機ＩＤ、子機状態、載置状態、およびフック状態を、呼制御部１６に通知する。
【００６２】
フック状態が「オフフック」の場合（Ｓ１４２で「オフ」）、呼制御部１６は、ＧＷ部１４、ルータ部１５、通信制御部１３、および内線ＩＦ部１２を介して、制御データの送信元にビジートーンを送出する等の話中処理を行う（Ｓ１４３）。
【００６３】
一方、フック状態が「オンフック」の場合（Ｓ１４２で「オン」）、呼制御部１６は、ＧＷ部１４、ルータ部１５、通信制御部１３、および内線ＩＦ部１２を介して、制御データの送信元である親子電話機２から宛先の電話番号を受け付ける（Ｓ１４４）。ここで、呼制御部１６は、Ｓ１４１で検索したレコード１８０のフィールド１８２に登録されている親機ＩＤにより特定される親機２１、およびこのレコード１８０のフィールド１８３に登録されている子機ＩＤにより特定される子機２２のいずれか一方、もしくは両方から順番に受け付けたダイヤル情報を蓄積することにより、宛先の電話番号を受け付ける。
【００６４】
次に、呼制御部１６は、宛先の電話番号を伴う呼データを生成し、ＧＷ部１４、ルータ部１５、通信制御部１３、および外線ＩＦ部１１を介して、外線ネットワーク５に送出する（Ｓ１４５）。
【００６５】
さて、呼制御部１６は、図４のＳ１３で受信した親子電話機２の制御データが、親機２１が送出した、親機２１の通話ボタンが「オン」になったことを示す制御データである場合（Ｓ１４６で「親機」）、後述する親機発信処理を行う（Ｓ１４７）。一方、この制御データが、子機２２が送出した、子機２２の通話ボタンが「オン」になったことを示す制御データである場合（Ｓ１４６で「子機」）、後述する子機発信処理を行う（Ｓ１４８）。
【００６６】
図９は、主装置１の親機発信処理（図８のＳ１４７）を説明するためのフロー図である。
【００６７】
先ず、呼制御部１６は、主制御部１９と連携して、親子電話機２の親子情報を更新する（Ｓ１４７０１）。具体的には、主制御部１９が、図８のＳ１４１で検索したレコード１８０のフィールド１８６に登録されているフック状態を「オンフック」から「オフフック」に更新する。
【００６８】
次に、呼制御部１６は、主制御部１９に対して、音声経路の親機２１への切り替えを依頼する。これを受けて、主制御部１９は、経路切替部１７を制御し、外線ネットワーク５と、図８のＳ１４１で確認した親機ＩＤにより特定される親機２１との間に音声経路を設定する（Ｓ１４７０２）。そして、呼制御部１６は、外線ＩＦ部１１、通信制御部１３、ルータ部１５、およびＧＷ部１４を介して外線ネットワーク５から受信した呼出音データを、この親機２１に転送する（Ｓ１４７０３）。
【００６９】
さて、呼制御部１６が、外線ＩＦ部１１、通信制御部１３、ルータ部１５、およびＧＷ部１４を介して、この呼データの宛先から接続応答データを受信すると（Ｓ１４７０４でＹＥＳ）、この呼データの宛先と、図８のＳ１４１で確認した親機ＩＤにより特定される親機２１との間で通話が開始される（Ｓ１４７０５）。
【００７０】
すなわち、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図８のＳ１４１で確認した親機ＩＤにより特定される親機２１に転送する。また、内線ＩＦ部１２、通信制御部１３、ルータ部１５、およびＧＷ部１４を介して、図８のＳ１４１で確認した親機ＩＤにより特定される親機２１から受信した音声データを、ＧＷ部１４、ルータ部１５、通信制御部１３、および外線ＩＦ部１１を介して、呼データの宛先に転送する。
【００７１】
また、主制御部１９は、内線ＩＦ部１２、通信制御部１３、ルータ部１５、およびＧＷ部１４を介して内線ネットワーク４から、図８のＳ１４１で確認した電話番号および載置状態「非載置」を含む管理データを受信すると（Ｓ１４７０６でＹＥＳ）、図８のＳ１４１で検索したレコード１８０のフィールド１８５に登録されている載置状態を、「載置」から「非載置」に更新する。また、ＧＷ部１４、ルータ部１５、通信制御部１３、および内線ＩＦ部１２を介して、図８のＳ１４１で確認した親機ＩＤ、子機ＩＤにより特定される親機２１、子機２２のそれぞれに、音声経路の親機２１から子機２２への切り替えを示す経路切替通知を送出する（Ｓ１４７０７）。
【００７２】
次に、主制御部１９は、経路切替部１７を制御し、外線ネットワーク５と、図８のＳ１４１で確認した子機ＩＤにより特定される子機２２との間に音声経路を設定する（Ｓ１４７０８）。そして、呼制御部１６は、外線ＩＦ部１１、通信制御部１３、ルータ部１５、およびＧＷ部１４を介して外線ネットワーク５から受信した呼出音データを、この子機２２に転送する（Ｓ１４７０９）。
【００７３】
その後、呼制御部１６が、外線ＩＦ部１１、通信制御部１３、ルータ部１５、およびＧＷ部１４を介して、この呼データの宛先から接続応答データを受信すると（Ｓ１４７１０でＹＥＳ）、この呼データの宛先と、図８のＳ１４１で確認した子機ＩＤにより特定される子機２２との間で通話が開始される（Ｓ１４７０５）。
【００７４】
すなわち、経路切替部１７は、外線ＩＦ部１１、通信制御部１３、ルータ部１５、およびＧＷ部１４を介して、呼データの送信元から受信した音声データを、ＧＷ部１４、ルータ部１５、通信制御部１３、および内線ＩＦ部１２を介して、図８のＳ１４１で確認した子機ＩＤにより特定される子機２２に転送する。また、内線ＩＦ部１２、通信制御部１３、ルータ部１５、およびＧＷ部１４を介して、図８のＳ１４１で確認した子機ＩＤにより特定される子機２２から受信した音声データを、ＧＷ部１４、ルータ部１５、通信制御部１３、および外線ＩＦ部１１を介して、呼データの宛先に転送する。
【００７５】
図１０は、主装置１の子機発信処理（図８のＳ１４８）を説明するためのフロー図である。
【００７６】
先ず、呼制御部１６は、主制御部１９と連携して、親子電話機２の親子情報を更新する（Ｓ１４８０１）。具体的には、主制御部１９が、図８のＳ１４１で検索したレコード１８０のフィールド１８６に登録されているフック状態を「オンフック」から「オフフック」に更新する。
【００７７】
次に、呼制御部１６は、主制御部１９に対して、音声経路の子機２２への切り替えを依頼する。これを受けて、主制御部１９は、経路切替部１７を制御し、外線ネットワーク５と、図８のＳ１４１で確認した子機ＩＤにより特定される子機２２との間に音声経路を設定する（Ｓ１４８０２）。そして、呼制御部１６は、外線ＩＦ部１１、通信制御部１３、ルータ部１５、およびＧＷ部１４を介して外線ネットワーク５から受信した呼出音データを、この子機２２に転送する（Ｓ１４８０３）。
【００７８】
さて、呼制御部１６が、外線ＩＦ部１１、通信制御部１３、ルータ部１５、およびＧＷ部１４を介して、この呼データの宛先から接続応答データを受信すると（Ｓ１４８０４でＹＥＳ）、この呼データの宛先と、図８のＳ１４１で確認した子機ＩＤにより特定される子機２２との間で通話が開始される（Ｓ１４８０５）。
【００７９】
すなわち、経路切替部１７は、外線ＩＦ部１１、通信制御部１３、ルータ部１５、およびＧＷ部１４を介して、呼データの宛先から受信した音声データを、ＧＷ部１４、ルータ部１５、通信制御部１３、および内線ＩＦ部１２を介して、図８のＳ１４１で確認した子機ＩＤにより特定される子機２２に転送する。また、内線ＩＦ部１２、通信制御部１３、ルータ部１５、およびＧＷ部１４を介して、図８のＳ１４１で確認した子機ＩＤにより特定される子機２２から受信した音声データを、ＧＷ部１４、ルータ部１５、通信制御部１３、および外線ＩＦ部１１を介して、呼データの宛先に転送する。
【００８０】
また、主制御部１９は、内線ＩＦ部１２、通信制御部１３、ルータ部１５、およびＧＷ部１４を介して内線ネットワーク４から、図８のＳ１４１で確認した電話番号および載置状態「載置」を含む管理データを受信すると（Ｓ１４８０６でＹＥＳ）、図８のＳ１４１で検索したレコード１８０のフィールド１８５に登録されている載置状態を、「非載置」から「載置」に更新する。また、ＧＷ部１４、ルータ部１５、通信制御部１３、および内線ＩＦ部１２を介して、図８のＳ１４１で確認した親機ＩＤ、子機ＩＤにより特定される親機２１、子機２２のそれぞれに、音声経路の子機２２から親機２１への切り替えを示す経路切替通知を送出する（Ｓ１４８０７）。
【００８１】
次に、主制御部１９は、経路切替部１７を制御し、外線ネットワーク５と、図８のＳ１４１で確認した親機ＩＤにより特定される親機２１との間に音声経路を設定する（Ｓ１４８０８）。そして、呼制御部１６は、外線ＩＦ部１１、通信制御部１３、ルータ部１５、およびＧＷ部１４を介して、外線ネットワーク５から受信した呼出音データを、この親機２１に転送する（Ｓ１４８０９）。
【００８２】
その後、呼制御部１６が、外線ＩＦ部１１、通信制御部１３、ルータ部１５、およびＧＷ部１４を介して、この呼データの宛先から接続応答データを受信すると（Ｓ１４８１０でＹＥＳ）、この呼データの宛先と、図８のＳ１４１で確認した親機ＩＤにより特定される親機２１との間で通話が開始される（Ｓ１４８０５）。
【００８３】
すなわち、経路切替部１７は、外線ＩＦ部１１、通信制御部１３、ルータ部１５、およびＧＷ部１４を介して、呼データの宛先から受信した音声データを、ＧＷ部１４、ルータ部１５、通信制御部１３、および内線ＩＦ部１２を介して、図８のＳ１４１で確認した親機ＩＤにより特定される親機２１に転送する。また、内線ＩＦ部１２、通信制御部１３、ルータ部１５、およびＧＷ部１４を介して、図８のＳ１４１で確認した親機ＩＤにより特定される親機２１から受信した音声データを、ＧＷ部１４、ルータ部１５、通信制御部１３、および外線ＩＦ部１１を介して、呼データの宛先に転送する。
【００８４】
次に、無線ＡＰ３について説明する。図１１は、無線ＡＰ３の概略構成図である。
【００８５】
図示するように、無線ＡＰ３は、無線ＩＦ部３１と、内線ＩＦ部３２と、通信制御部３３と、子機管理部３４と、子機情報記憶部３５と、主制御部３６と、を有する。
【００８６】
無線ＩＦ部３１は、無線ネットワークと接続するためのインターフェースである。
【００８７】
内線ＩＦ部３２は、内線ネットワーク４と接続するためのインターフェースである。
【００８８】
通信制御部３３は、無線ネットワークおよび内線ネットワーク４のそれぞれと通信パケットを送受するために必要な処理（エラー検出、エラー訂正、パケット解析等）を行う。
【００８９】
子機管理部３４は、自無線ＡＰ３の圏内にある子機２２を管理する。具体的には、通信制御部３３、および無線ＩＦ部３１を介して、無線ネットワークにビーコン（管理データ）を放送し、このビーコンを受信した子機２２が送信する、この子機２２の子機ＩＤおよび電話番号を含む管理データを、無線ＩＦ部３１、および通信制御部３３を介して受信する。そして、受信した管理データに含まれている子機ＩＤおよび電話番号を、自無線ＡＰ３の圏内にある子機２２の子機ＩＤおよび電話番号として、子機情報記憶部３５に登録する。また、受信した管理データに含まれていない子機ＩＤおよび電話番号を、自無線ＡＰ３の圏外となった子機２２の子機ＩＤおよび電話番号として、子機情報記憶部３５から削除する。
【００９０】
主制御部３６は、無線ＡＰ３の各部３１〜３５を統括的に制御する。具体的には、無線ＩＦ部３１、内線ＩＦ部３２、および通信制御部３３と連携して、無線ネットワークおよび内線ネットワーク４間を中継する。また、子機管理部３４と連携して、自無線ＡＰ３の圏内にある子機２２の子機ＩＤおよび電話番号を子機情報記憶部３５に登録すると共に、自無線ＡＰ３の圏外となった子機２２の子機ＩＤおよび電話番号を子機情報記憶部３５から削除する。
【００９１】
さらに、主制御部３６は、子機情報記憶部３５に新たに登録された電話番号と、この電話番号を持つ子機２２が圏内であることを示す子機状態とを含む管理データを生成し、通信制御部３３、および内線ＩＦ部３２を介して、主装置１にこの管理データを送出する。同様に、子機情報記憶部３５から削除された電話番号と、この電話番号を持つ子機２２が圏外であることを示す子機状態とを含む管理データを生成し、通信制御部３３、および内線ＩＦ部３２を介して、主装置１にこの管理データを送出する。
【００９２】
次に、親機２１について説明する。図１２は、親機２１の概略構成図である。
【００９３】
図示するように、親機２１は、内線ＩＦ部２１０１と、通信制御部２１０２と、呼制御部２１０３と、通話ボタン（ハンズフリーボタン）、ダイヤルキー、ファンクションキー等の入力キーおよびＬＣＤ等の表示部を備えた操作パネル２１０４と、操作制御部２１０５と、マイクおよびスピーカを備えたハンズフリー部２１０６と、音声制御部２１０７と、子機ＩＦ部２１０８と、電源制御部２１０９と、主制御部２１１０と、を有する。
【００９４】
内線ＩＦ部２１０１は、内線ネットワーク４と接続するためのインターフェースである。
【００９５】
通信制御部２１０２は、内線ネットワーク４と通信パケットを送受するために必要な処理（エラー検出、エラー訂正、パケット解析等）を行う。
【００９６】
呼制御部２１０３は、ＳＩＰ等の呼制御プロトコルに従い呼制御処理を行う。
【００９７】
操作制御２１０５は、操作パネル２１０４を介して、ユーザの操作を受け付けたり、情報を表示したりする。
【００９８】
音声制御部２１０７は、ハンズフリー部２１０６に対する音声の入出力を制御する。
【００９９】
子機ＩＦ部２１０８は、子機２２が自親機２１に載置された場合に、この子機２２と接続するためのインターフェースである。子機ＩＦ部２１０８は、子機２２を充電するための電力供給端子と、子機２２から子機ＩＤを取得するための通信端子と、子機２２の載置状態を検出するためのセンタと、を有する。
【０１００】
電源制御部２１０９は、子機ＩＦ部２１０８に接続された子機２２の充電を制御する。また、子機ＩＦ部２１０８に設けられたセンサを用いて、子機２２の載置状態を検出する。さらに、電力制御部２１０９は、子機ＩＦ部２１０８に接続された子機２２の子機ＩＤを取得する。
【０１０１】
そして、主制御部２１１０は、親機２１の各部２１０１〜２１０９を統括的に制御する。
【０１０２】
図１３は、親機２１の動作を説明するためのフロー図である。
【０１０３】
主制御部２１１０は、内線ＩＦ部２１０１、および通信制御部２１０２を介して、主装置１から着信通知を受信すると（Ｓ２１１でＹＥＳ）、この着信通知を呼制御部２１０３に渡す。これを受けて、呼制御部２１０３は、主制御部２１１０と連携して、後述する着信処理を行う（Ｓ２１２）。
【０１０４】
また、主制御部２１１０は、操作パネル２１０４、および操作制御部２１０５を介して、通話ボタンが「オン」になったことを検知すると（Ｓ２１３でＹＥＳ）、発信指示を呼制御部２１０３に渡す。これを受けて、呼制御部２１０３は、主制御部２１１０と連携して、後述する発信処理を行う（Ｓ２１４）。
【０１０５】
また、主制御部２１１０は、子機ＩＦ部２１０８、および電源制御部２１０９を介して、子機２２の載置状態が変化したことを検知すると（Ｓ２１５でＹＥＳ）、次の管理データ送信処理を行う（Ｓ２１６）。
【０１０６】
すなわち、子機２２の載置状態が「非載置」から「載置」に変化した場合、主制御部２１１０は、電源制御部２１０９を介して、この子機２２から子機ＩＤを取得し、この子機ＩＤが自親機２１と親子関係にある子機２２の子機ＩＤとして予め登録されているものと一致するか否かを調べる。一致するならば、自親機２１と親子関係にある子機２２が載置されたものと判断し、自親子電話機２の電話番号および載置状態「載置」を含む管理データを生成する。そして、通信制御部２１０２、および内線ＩＦ部２１０１を介して、この管理データを主装置１に送信する。また、子機２２の載置状態が「載置」から「非載置」に変化した場合、自親機２１に直前まで載置されていた子機２２が、自親機２１と親子関係にある子機２２であるならば、自親子電話機２の電話番号および載置状態「非載置」を含む管理データを生成する。そして、通信制御部２１０２、および内線ＩＦ部２１０１を介して、この管理データを主装置１に送信する。
【０１０７】
図１４は、親機２１の着信処理（図１３のＳ２１２）を説明するためのフロー図である。
【０１０８】
先ず、呼制御部２１０３は、通信制御部２１０２、および内線ＩＦ部２１０１を介して主装置１に、着信通知に対するＡＣＫデータを送出する（Ｓ２１２０１）。
【０１０９】
次に、呼制御部２１０３は、主制御部２１１０に子機２２の載置状態を問い合わせる。これを受けて、主制御部２１１０は、電源制御部２１０９を制御し、子機２２の載置状態を確認する。子機２２が自親機２１に載置されているならば、この子機２２から子機ＩＤを取得し、この子機ＩＤが自親機２１と親子関係にある子機２２の子機ＩＤとして予め登録されているものと一致するか否かを調べる。そして、一致するならば、載置状態「載置」を呼制御部２１０３に通知する。一方、一致しない場合、あるいは子機２２が親機２１に載置されていない場合は、載置状態「非載置」を呼制御部２１０３に通知する。
【０１１０】
さて、呼制御部２１０３は、子機２２の載置状態が「載置」の場合（Ｓ２１２０２で「載置」）、Ｓ２１２０３に進む。一方、子機２２の載置状態が「非載置」の場合は（Ｓ２１２０２で「非載置」）、Ｓ２１２１０に進む。
【０１１１】
Ｓ２１２０３において、呼制御部２１０３は、内線ＩＦ部２１０１、および通信制御部２１０２を介して主装置１から着信音データおよび着信表示データが送られてくるのを待つ。そして、着信音データおよび着信表示データに基づき、図示していない音源等を用いて着信鳴動を制御する。それから、呼制御部２１０３は、通話ボタンが「オン」になるか、あるいは子機２２の載置状態が「載置」から「非載置」に変化するのを待つ。
【０１１２】
主制御部２１１０は、操作制御部２１０５を介して、操作パネル２１０４の通話ボタンが「オン」になったことを検知すると（Ｓ２１２０４でＹＥＳ）、通話ボタン「オン」を呼制御部２１０３に通知する。これを受けて、呼制御部２１０３は、自親機２１の親機ＩＤおよび通話ボタンが「オン」になったことを示す制御データを、通信制御部２１０２、および内線ＩＦ部２１０１を介して主装置１に送出する（Ｓ２１２０５）。
【０１１３】
それから、呼制御部２１０３は、着信鳴動を停止して、音声通話を開始する（Ｓ２１２０６）。これにより、主装置１から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声が、音声制御部２１０７により音声データに変換される。そして、この音声データが、通信制御部２１０２により通話パケットに格納され、内線ＩＦ部２１０１から主装置１に送出される。
【０１１４】
また、主制御部２１１０は、電源制御部２１０９を介して、自親機２１に載置されていた、自親機２１と親子関係にある子機２２が、「非載置」になったことを検知すると（Ｓ２１２０７でＹＥＳ）、載置状態「非載置」を呼制御部２１０３に通知する。これを受けて、呼制御部２１０３は、自親子電話機２の電話番号および載置状態「非載置」を含む管理データを、通信制御部２１０２、および内線ＩＦ部２１０１を介して主装置１に送出する（Ｓ２１２０８）。
【０１１５】
それから、呼制御部２１０３は、着信鳴動を停止する。また、内線ＩＦ部２１０１、および通信制御部２１０２を介して、主装置１から、音声経路が親機２１から子機２２へ切り替わったことを示す経路切替通知を受信する（Ｓ２１２０９）。
【０１１６】
また、Ｓ２１２１０において、呼制御部２１０３は、内線ＩＦ部２１０１、および通信制御部２１０２を介して主装置１から着信表示データを送られてくるのを待つ。そして、着信表示データに基づき、操作制御部２１０５を介して、操作パネル２１０４の表示部に着信表示データを表示する。
【０１１７】
次に、主制御部２１１０は、電源制御部２１０９を介して、自親機２１と親子関係にある子機２２が自親機２１に載置されたことを検知すると（Ｓ２１２１１でＹＥＳ）、載置状態「載置」を呼制御部２１０３に通知する。これを受けて、呼制御部２１０３は、自親子電話機２の電話番号および載置状態「載置」を含む管理データを、通信制御部２１０２、および内線ＩＦ部２１０１を介して主装置１に送出する（Ｓ２１２１２）。
【０１１８】
ここで、自親子電話機２（具体的には子機２２）が通話中である場合、主装置１は、音声経路が子機２２から親機２１へ切り替わったことを示す経路切替通知を送信する。呼制御部２１０３は、内線ＩＦ部２１０１、および通信制御部２１０２を介して、主装置１からこの経路切替通知を受信すると、音声通話を開始する（Ｓ２１２１３）。
【０１１９】
これにより、主装置１から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声は、音声制御部２１０７により音声データに変換される。そして、この音声データが、通信制御部２１０２により通話パケットに格納され、内線ＩＦ部２１０１から主装置１に送出される。
【０１２０】
図１５は、親機２１の発信処理（図１３のＳ２１４）を説明するためのフロー図である。
【０１２１】
先ず、呼制御部２１０３は、通信制御部２１０２、および内線ＩＦ部２１０１を介して主装置１に、自親機２１の親機ＩＤおよび通話ボタンが「オン」になったことを示す制御データを送出する（Ｓ２１４０１）。
【０１２２】
次に、呼制御部２１０３は、操作制御部２１０５を介して、操作パネル２１０４のダイヤルキーに入力された通話相手の電話番号を受け付け、通信制御部２１０２、および内線ＩＦ部２１０１を介して主装置１に、この電話番号を送出する（Ｓ２１４０２）。それから、呼制御部２１０３は、内線ＩＦ部２１０１、および通信制御部２１０２を介して主装置１より受信した呼出音データを、音声制御部２１０７を介してハンズフリー部２１０６のスピーカから出力する（Ｓ２１４０３）。
【０１２３】
さて、主制御部２１１０は、電源制御部２１０９を介して、自親機２１に載置されていた、自親機２１と親子関係にある子機２２が、「非載置」になったことを検知すると（Ｓ２１４０４でＹＥＳ）、載置状態「非載置」を呼制御部２１０３に通知する。これを受けて、呼制御部２１０３は、自親子電話機２の電話番号および載置状態「非載置」を含む管理データを、通信制御部２１０２、および内線ＩＦ部２１０１を介して主装置１に送出する（Ｓ２１４０５）。
【０１２４】
それから、呼制御部２１０３は、内線ＩＦ部２１０１、および通信制御部２１０２を介して、主装置１から、音声経路が親機２１から子機２２へ切り替わったことを示す経路切替通知を受信し、呼出音の出力を停止する（Ｓ２１４０６）。
【０１２５】
また、主制御部２１１０は、自親機２１に載置されていた、自親機２１と親子関係にある子機２２が、「載置」の状態にある場合（Ｓ２１４０４でＮＯ）、内線ＩＦ部２１０１、および通信制御部２１０２を介して、主装置１から接続応答を受信すると（Ｓ２１４０７）、これを呼制御部２１０３に通知する。これを受けて、呼制御部２１０３は、通話を開始する（Ｓ２１４０８）。
【０１２６】
これにより、主装置１から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声は、音声制御部２１０７により音声データに変換される。そして、この音声データが、通信制御部２１０２により通話パケットに格納され、内線ＩＦ部２１０１から主装置１に送出される。
【０１２７】
次に、子機２２について説明する。図１６は、子機２２の概略構成図である。
【０１２８】
図示するように、子機２２は、無線ＩＦ部２２０１と、通信制御部２２０２と、呼制御部２２０３と、通話ボタン、ダイヤルキー、ファンクションキー等の入力キーおよびＬＣＤ等の表示部を備えた操作パネル２２０４と、操作制御部２２０５と、マイクおよびスピーカを備えたハンドセット部２２０６と、音声制御部２２０７と、親機ＩＦ部２２０８と、電源制御部２２０９と、主制御部２２１０と、を有する。
【０１２９】
無線ＩＦ部２２０１は、無線ネットワークと接続するためのインターフェースである。
【０１３０】
通信制御部２２０２は、無線ネットワークと通信パケットを送受するために必要な処理（エラー検出、エラー訂正、パケット解析等）を行う。
【０１３１】
呼制御部２２０３は、ＳＩＰ等の呼制御プロトコルに従い呼制御処理を行う。
【０１３２】
操作制御２２０５は、操作パネル２２０４を介して、ユーザの操作を受け付けたり、情報を表示したりする。
【０１３３】
音声制御部２２０７は、ハンドセット部２２０６に対する音声の入出力を制御する。
【０１３４】
親機ＩＦ部２２０８は、自子機２２が親機２１に載置された場合に、この親機２１と接続するためのインターフェースである。親機ＩＦ部２２０８は、親機２１から電力を入力するための電力入力端子と、親機２１に自子機２２の子機ＩＤを通知するための通信端子と、を有する。
【０１３５】
電源制御部２２０９は、親機ＩＦ部２２０８に接続された親機２１から提供された電力の蓄電を制御する。また、親機ＩＦ部２２０８に接続された親機２１に、自子機２２の子機ＩＤを通知する。
【０１３６】
そして、主制御部２２１０は、子機２２の各部２２０１〜２２０９を統括的に制御する。
【０１３７】
図１７は、子機２２の動作を説明するためのフロー図である。
【０１３８】
主制御部２２１０は、無線ＩＦ部２２０１、および通信制御部２２０２を介して、主装置１から着信通知を受信すると（Ｓ２２１でＹＥＳ）、この着信通知を呼制御部２２０３に渡す。これを受けて、呼制御部２２０３は、主制御部２２１０と連携して、後述する着信処理を行う（Ｓ２２２）。
【０１３９】
また、主制御部２２１０は、操作パネル２２０４、および操作制御部２２０５を介して、通話ボタンが「オン」になったことを検知すると（Ｓ２２３でＹＥＳ）、発信指示を呼制御部２２０３に渡す。これを受けて、呼制御部２２０３は、主制御部２２１０と連携して、後述する発信処理を行う（Ｓ２２４）。
【０１４０】
また、主制御部２１１０は、親機ＩＦ部２２０８、および電源制御部２２０９を介して、自子機２２が載置している親機２１からＩＤ要求を受信すると（Ｓ２２５でＹＥＳ）、この親機２１に、予め登録されている子機ＩＤを、親機ＩＦ部２２０８を介して送信する（Ｓ２２６）。
【０１４１】
図１８は、子機２２の着信処理（図１７のＳ２２２）を説明するためのフロー図である。
【０１４２】
先ず、呼制御部２２０３は、通信制御部２２０２、および無線ＩＦ部２２０１を介して主装置１に、着信通知に対するＡＣＫデータを送出する（Ｓ２２２０１）。
【０１４３】
次に、呼制御部２２０３は、無線ＩＦ部２２０１、および通信制御部２２０２を介して主装置１から着信音データが送られてくるのを待つ。そして、着信音データに基づき、図示していない音源等を用いて着信鳴動を制御する（Ｓ２２２０２）。それから、呼制御部２２０３は、通話ボタンが「オン」になるか、あるいは、無線ＩＦ部２２０１、および通信制御部２２０２を介して主装置１から、音声経路を子機２２から親機２１に切り替える旨の経路切替通知が送られてくるのを待つ。
【０１４４】
主制御部２２１０は、操作制御部２２０５を介して、操作パネル２２０４の通話ボタンが「オン」になったことを検知すると（Ｓ２２２０３でＹＥＳ）、通話ボタン「オン」を呼制御部２２０３に通知する。これを受けて、呼制御部２２０３は、自子機２２の子機ＩＤおよび通話ボタンが「オン」になったことを示す制御データを、通信制御部２２０２、および無線ＩＦ部２２０１を介して主装置１に送出する（Ｓ２２２０４）。
【０１４５】
それから、呼制御部２２０３は、着信鳴動を停止して、音声通話を開始する（Ｓ２２２０５）。これにより、主装置１から送られてきた通話パケットは、無線ＩＦ部２２０１で受信され、通信制御部２２０２で音声データが抽出される。そして、この音声データが、音声制御部２２０７によりハンドセット部２２０６のスピーカから出力される。また、ハンドセット部２２０６のマイクに入力された音声が、音声制御部２２０７により音声データに変換される。そして、この音声データが、通信制御部２２０２により通話パケットに格納され、無線ＩＦ部２２０１から主装置１に送出される。
【０１４６】
また、主制御部２２１０は、無線ＩＦ部２２０１、および通信制御部２２０２を介して主装置１から、音声経路を子機２２から親機２１に切り替える旨の経路切替通知を受信すると（Ｓ２２２０６でＹＥＳ）、この経路切替通知を呼制御部２２０３に通知する。これを受けて、呼制御部２２０３は、着信鳴動を停止する（Ｓ２２２０７）。
【０１４７】
図１９は、子機２２の発信処理（図１７のＳ２２４）を説明するためのフロー図である。
【０１４８】
先ず、呼制御部２２０３は、通信制御部２２０２、および無線ＩＦ部２２０１を介して主装置１に、自子機２２の子機ＩＤおよび通話ボタンが「オン」になったことを示す制御データを送出する（Ｓ２２４０１）。
【０１４９】
次に、呼制御部２２０３は、操作制御部２２０５を介して、操作パネル２２０４のダイヤルキーに入力された通話相手の電話番号を受け付け、通信制御部２２０２、および無線ＩＦ部２２０１を介して主装置１に、この電話番号を送出する（Ｓ２２４０２）。それから、呼制御部２２０３は、無線ＩＦ部２２０１、および通信制御部２２０２を介して主装置１より受信した呼出音データを、音声制御部２２０７を介してハンドセット部２２０６のスピーカから出力する（Ｓ２２４０３）。
【０１５０】
さて、主制御部２２０３は、無線ＩＦ部２２０１、および通信制御部２２０２を介して、主装置１から接続応答を受信すると（Ｓ２２４０４でＹＥＳ）、これを呼制御部２２０３に通知する。これを受けて、呼制御部２２０３は、呼出音の出力を停止して、通話を開始する（Ｓ２２４０５）。
【０１５１】
これにより、主装置１から送られてきた通話パケットは、無線ＩＦ部２２０１で受信され、通信制御部２２０２で音声データが抽出される。そして、この音声データが、音声制御部２２０７によりハンドセット部２２０６のスピーカから出力される。また、ハンドセット部２２０６のマイクに入力された音声は、音声制御部２２０７により音声データに変換される。そして、この音声データが、通信制御部２２０２により通話パケットに格納され、無線ＩＦ部２２０１から主装置１に送出される。
【０１５２】
また、主制御部２２１０は、無線ＩＦ部２２０１、および通信制御部２２０２を介して主装置１から、音声経路が子機２２から親機２１に切り替わった旨の経路切替通知を受信すると（Ｓ２２４０６でＹＥＳ）、これを呼制御部２２０３に通知する。これを受けて、呼制御部２２０３は、呼出音の出力を停止する（Ｓ２２４０７）。
【０１５３】
次に、本実施の形態が適用された親子電話システムによる通話例を説明する。
【０１５４】
図２０は、子機２２が親機２１に載置されている親子電話機２に着信した場合に、子機２２で通話する場合の通話例を説明するためのシーケンス図である。
【０１５５】
主装置１は、外線ネットワーク５から着信があると、ルータ機能、ゲートウェイ機能、および呼制御機能により、この着信が親子電話機２に対する呼データであることを認識する（Ｓ６０１）。そして、主装置１は、この親子電話機２の載置状態が「載置」であることを確認し、この親子電話機２を構成する親機２１に対して着信通知を送出する（Ｓ６０２）。
【０１５６】
親機２１は、主装置１から着信通知を受信すると、この着信通知に対するＡＣＫデータを主装置１に送出する。主装置１は、このＡＣＫデータを呼データの送信元（ゲートウエイ）に転送する（Ｓ６０３）。その後、主装置１は、呼データの送信元から着信音データを受信し、これを親機２１に転送する（Ｓ６０４）。これを受けて、親機２１は着信鳴動を開始する。
【０１５７】
さて、親機２１は、自親機２１に載置されている子機２２が持上げられたことを検出すると（Ｓ６０５）、親子電話機２の電話番号および載置状態「非載置」を含む管理データを生成し、これを主装置１に送出する（Ｓ６０６）。これを受けて、主装置１は、音声経路の接続先を親機２１から子機２２に切り替える。また、音声経路の接続先が親機２１から子機２２へ切り替わった旨の経路切替通知を生成し、この経路切替通知を親機２１および子機２２のそれぞれに通知する（Ｓ６０７）。また、呼データの送信元に接続応答を送出する（Ｓ６０８）。これにより、子機２２と通話相手との間に通話路が形成される（Ｓ６０９）。
【０１５８】
図２１は、子機２２が親機２１に載置されている親子電話機２において、親機２１でダイヤル操作して発信し、子機２２で通話する場合の通話例を説明するためのシーケンス図である。
【０１５９】
親機２１は、通話ボタン（ハンズフリーボタン）が「オン」になると（Ｓ７０１）、その旨を示す制御データを主装置１に送出する（Ｓ７０２）。その後、宛先電話番号の入力を受け付け（Ｓ７０３）、受け付けた宛先電話番号を示す制御データを主装置１に送出する（Ｓ７０４）。
【０１６０】
主装置１は、内線ネットワーク４から着信があると、ルータ機能、ゲートウェイ機能、および呼制御機能により、この着信が通話ボタン「オン」を示す制御データ、および宛先電話番号を示す制御データであることを認識する。そして、この宛先電話番号を着番号とする呼データを生成し、これを外線ネットワーク５に送出する（Ｓ７０５）。
【０１６１】
次に、主装置１は、外線ネットワーク５から呼出音データを受信し、これを親機２１に転送する（Ｓ７０６）。そして、親機２１が呼出音を出力する。
【０１６２】
さて、親機２１は、自親機２１に載置されている子機２２が持上げられたことを検出すると（Ｓ７０７）、親子電話機２の電話番号および載置状態「非載置」を含む管理データを生成し、これを主装置１に送出する（Ｓ７０８）。これを受けて、主装置１は、音声経路の接続先を親機２１から子機２２に切り替える。また、音声経路の接続先が親機２１から子機２２へ切り替わった旨の経路切替通知を生成し、この経路切替通知を親機２１および子機２２のそれぞれに通知する（Ｓ７０９）。
【０１６３】
その後、主装置１は、外線ネットワーク５から呼出音データを受信し、これを子機２２に転送する（Ｓ７１０）。そして、子機２２が呼出音を出力する。また、主装置１は、外線ネットワーク５から接続応答を受信すると、これを子機２２に転送する（Ｓ７１１）。これにより、子機２２と通話相手との間に通話路が形成される（Ｓ７１２）。
【０１６４】
以上、本発明の一実施の形態を説明した。
【０１６５】
本実施の形態では、内線ネットワーク４に無線ＡＰ３および親機２１を接続すると共に、無線ＡＰ３を介して内線ネットワーク４に子機２２を接続する。そして、内線ネットワーク４および外線ネットワーク５を収容する主装置１に、親子電話機２を構成する親機２１および子機２２の対応関係を管理させ、親子電話機２に対する音声経路の接続先を、この親子電話機２を構成する親機２１と子機２２との間で切り替える。このため、親機２１に、子機２２と無線通信するための無線インターフェースを持たせる必要がない。したがって、親子電話機２を複数台設置した場合のコストを低減することができる。
【０１６６】
また、本実施の形態では、子機２２が親機２１に載置されている場合、親子電話機２に対する音声経路が親機２１に接続され、子機２２が親機２１に載置されていない場合は、親子電話機２に対する音声経路が子機２２に接続される。このため、子機２２を親機２１に載置したり、親機２１に載置している子機２２を親機２１から持上げたりすることで、親子電話機２に対する音声経路の接続先を切り替えることができ、親子電話機２の使い勝手が向上する。
【０１６７】
また、本実施の形態では、子機２２が親機２１に載置されている場合、着信音が親機２１に送出され、子機２２が親機２１に載置されていない場合は、着信音が子機２２に送出される。このため、子機２２を親機２１に載置したり、親機２１に載置している子機２２を親機２１から持上げたりすることで、親子電話機２に対する着信音の送出先を切り替えることができ、親子電話機２の使い勝手が向上する。
【０１６８】
また、本実施の形態では、着信鳴動中の親機２１に載置されている子機２２が持上げられると、この親機２１および子機２２を有する親子電話機２に着信した呼に対する接続応答が外線ネットワーク５に送出される。このため、親子電話機２に対する音声経路の接続先の切り替え指示と、親子電話機２に着信した呼に対する接続応答の指示とを、同じ操作で同時に実現することができる。
【０１６９】
また、本実施の形態では、外線ネットワーク５に呼を発信する場合において、子機２２が親機２１に載置されている場合は、外線ネットワーク５からの呼出音を親機２１に転送し、子機２２が親機２１に載置されていない場合は、外線ネットワーク５からの呼出音を子機２２に転送する。このため、子機２２を親機２１に載置したり、親機２１に載置している子機２２を親機２１から持上げたりすることで、親子電話機２に対する呼出音の送出先を切り替えることができ、親子電話機２の使い勝手が向上する。
【０１７０】
また、本実施の形態では、子機２２が無線ＡＰ３の圏外にある場合、この子機２２の親機２１への載置状態にかかわらず、親子電話機２に対する音声経路を親機２１に接続する。このため、親子電話機２に呼が繋がらなくなることを防止することができる。
【０１７１】
なお、本発明は上記の実施の形態に限定されるものではなく、その要旨の範囲内で数々の変形が可能である。例えば、主装置１、親子電話機２、および無線ＡＰ３の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１７２】
また、本実施の形態では、親機２１の子機ＩＦ部２１０８に設けられたセンサにより、子機２２の載置状態を検出する場合を例に取り説明した。しかし、本発明はこれに限定されない。例えば、親機２１の電源制御部２１０９で子機２２の充電状態を監視することで、子機２２の載置状態を検出するようにしてもよい。
【０１７３】
図２２は、親機２１の子機ＩＦ部２１０８、電源制御部２１０９、および子機２２の親機ＩＦ部２２０８、電源制御部２２０９の変形例を説明するための図である。
【０１７４】
図示するように、親機２１において、子機ＩＦ部２１０８は、子機２２から子機ＩＤを取得するための通信端子２１０８１と、子機２２に電力を供給するための電力供給端子２１０８２、２１０８３と、を有する。また、電源制御部２１０９は、電力供給端子２１０８２、２１０８３に電源を供給する電源２１０９１と、電源２１０９１の電源供給ラインに挿入された抵抗２１０９５と、電源２１０９１の電源供給ラインを流れる電流値を測定する電流メータ２１０９３と、電力供給端子２１０８２、２１０８３間の電圧値を測定する電圧メータ２１０９４と、電源２１０９１の供給電力を調整する電源コントローラ２１０９２と、を有する。
【０１７５】
また、子機２２において、親機ＩＦ部２２０８は、親機２１の通信端子２１０８１に接続され、親機２１に子機ＩＤを通知するための通信端子２２０８１と、親機２１の電力供給端子２１０８２、２１８０３に接続され、親機２１から電力を入力するための電力入力端子２２０８２、２２０８３と、を有する。また、電源制御部２２０９は、電力入力端子２２０８２、２２０８３間の電圧値を測定する電圧メータ２２０９２と、電力入力端子２２０８２、２２０８３に入力された電力を蓄電するバッテリ２２０９１と、を有する。
【０１７６】
以上のような構成において、電源コントローラ２１０９２は、電流メータ２１０９３および電圧メータ２１０９４の測定値に基づいて電源２１０９１の供給電力を制御すると共に、これらの測定値に基づいて子機２２の載置状態を検出する。電源供給ラインの電流値が所定値以下の場合、電力供給端子２１０８２、２１０８３間が開放されていると考えられる。また、電力供給端子２１０８２、２１０８３間の電圧値が所定値以下の場合、子機２２に何らかの異常が発生し、子機２２の電力入力端子２２０８２、２２０８３間が短絡したものと考えられる。このような場合は、載置状態「非載置」と判断する。そして、電源供給ラインの電流値が所定の範囲内であり、且つ電力供給端子２１０８２、２１０８３間の電圧値が所定の範囲内である場合に、載置状態「載置」と判断する。
【０１７７】
あるいは、電源２１０９１の出力電圧および電圧メータ２１０９４の測定値を用いて抵抗２１０９５に加わる電圧値を計算すると共に、子機２２の電圧メータ２２０９２の測定値を通信端子２１０８１、２２０８１経由で取得する。そして、両者を比較することで、載置状態を検出する。例えば、子機２２の電力入力端子２２０８２、２２０８３間の抵抗値よりも大きくなるように、抵抗２１０９５の抵抗値を設定し、この両者の抵抗値の違いに応じた電圧差が、抵抗２１０９５に加わる電圧値および電圧メータ２２０９２の測定値間に生じている場合に、載置状態「載置」と判断する。それ以外の場合は、載置状態「非載置」と判断する。
【０１７８】
なお、本実施の形態では、載置状態を親機２１側で検出する場合を想定しているが、載置状態を子機２２側で検出し、これを無線ネットワーク経由で主装置１に通知するようにしてもよい。
【０１７９】
また、本実施の形態において、子機２２に単体電話としての機能を持たせるようにしてもよい。すなわち、子機２２に、親子電話機２の電話番号とは別の専用の電話番号を割り当てる。また、親子電話モードおよび単体電話モードの切替スイッチを設ける。そして、単体電話モードが選択された場合は、通常の電話機と同様に、自電話機に付与された電話番号を用いて他端末と通信する。なお、電話モードが切り替わった場合は、その旨を子機２２から主装置１に通知する。主装置１は、各子機２２の電話モードを管理し、単体電話モードで動作中の子機２２については、子機状態が「圏外」の場合と同様に扱う。これにより、親子電話機２への着信が子機２２に転送されることを防止する。
【０１８０】
また、本実施の形態では、子機２２の無線通信に無線ＬＡＮを利用する場合を想定して説明した。しかし、本発明はこれに限定されない。子機２２の無線通信にＰＨＳや携帯電話を利用してもよい。この場合、主装置１が親機２１および子機２２の両方に通話パスを作成し、どっちの通話パスを有効にするかを決定して、親機２１および子機２２のそれぞれに通知する。通話パスが有効とされた電話機は、スピーカ、およびマイクを用いた音声入出力を有効にして、通話相手と音声データを送受する。通話パスが無効とされた電話機は、スピーカ、およびマイクを用いた音声入出力を無効にして、通話相手と音声データの送受を行わない。
【図面の簡単な説明】
【０１８１】
【図１】図１は、本発明の一実施の形態が適用された親子電話システムの概略構成図である。
【図２】図２は、主装置１の概略構成図である。
【図３】図３は、親子情報記憶部１８を模式的に表した図である。
【図４】図４は、主装置１の動作を説明するためのフロー図である。
【図５】図５は、主装置１の着信処理（図４のＳ１２）を説明するためのフロー図である。
【図６】図６は、主装置１の親機着信処理（図５のＳ１２６）を説明するためのフロー図である。
【図７】図７は、主装置１の子機着信処理（図５のＳ１２７）を説明するためのフロー図である。
【図８】図８は、主装置１の発信処理（図４のＳ１４）を説明するためのフロー図である。
【図９】図９は、主装置１の親機発信処理（図８のＳ１４７）を説明するためのフロー図である。
【図１０】図１０は、主装置１の子機発信処理（図８のＳ１４８）を説明するためのフロー図である。
【図１１】図１１は、無線ＡＰ３の概略構成図である。
【図１２】図１２は、親機２１の概略構成図である。
【図１３】図１３は、親機２１の動作を説明するためのフロー図である。
【図１４】図１４は、親機２１の着信処理（図１３のＳ２１２）を説明するためのフロー図である。
【図１５】図１５は、親機２１の発信処理（図１３のＳ２１４）を説明するためのフロー図である。
【図１６】図１６は、子機２２の概略構成図である。
【図１７】図１７は、子機２２の動作を説明するためのフロー図である。
【図１８】図１８は、子機２２の着信処理（図１７のＳ２２２）を説明するためのフロー図である。
【図１９】図１９は、子機２２の発信処理（図１７のＳ２２４）を説明するためのフロー図である。
【図２０】図２０は、子機２２が親機２１に載置されている親子電話機２に着信した場合に、子機２２で通話する場合の通話例を説明するためのシーケンス図である。
【図２１】図２１は、子機２２が親機２１に載置されている親子電話機２において、親機２１でダイヤル操作して発信し、子機２２で通話する場合の通話例を説明するためのシーケンス図である。
【図２２】図２２は、親機２１の子機ＩＦ部２１０８、電源制御部２１０９、および子機２２の親機ＩＦ部２２０８、電源制御部２２０９の変形例を説明するための図である。
【符号の説明】
【０１８２】
１：主装置、２：親子電話機、３：無線ＡＰ、４：内線ネットワーク、５：外線ネットワーク、１１：外線ＩＦ部、１２：内線ＩＦ部、１３：通信制御部、１４：ＧＷ部、１５：ルータ部、１６：呼制御部、１７：経路切替部、１８：親子情報記憶部、１９：主制御部、２１：親機、２２：子機、３１：無線ＩＦ部、３２：内線ＩＦ部、３３：通信制御部、３４：子機管理部、３５：子機情報記憶部、３６：主制御部、２１０１：内線ＩＦ部、２１０２：通信制御部、２１０３：呼制御部、２１０４：操作パネル、２１０５：操作制御部、２１０６：ハンズフリー部、２１０７：音声制御部、２１０８：子機ＩＦ部、２１０９：電源制御部、２１１０：主制御部、２２０１：無線ＩＦ部、２２０２：通信制御部、２２０３：呼制御部、２２０４：操作パネル、２２０５：操作制御部、２２０６：ハンドセット部、２２０７：音声制御部、２２０８：親機ＩＦ部、２２０９：電源制御部、２２１０：主制御部
【図１】
2008177975.tif 000003
【図２】
2008177975.tif 000004
【図３】
2008177975.tif 000005
【図４】
2008177975.tif 000006
【図５】
2008177975.tif 000007
【図６】
2008177975.tif 000008
【図７】
2008177975.tif 000009
【図８】
2008177975.tif 000010
【図９】
2008177975.tif 000011
【図１０】
2008177975.tif 000012
【図１１】
2008177975.tif 000013
【図１２】
2008177975.tif 000014
【図１３】
2008177975.tif 000015
【図１４】
2008177975.tif 000016
【図１５】
2008177975.tif 000017
【図１６】
2008177975.tif 000018
【図１７】
2008177975.tif 000019
【図１８】
2008177975.tif 000020
【図１９】
2008177975.tif 000021
【図２０】
2008177975.tif 000022
【図２１】
2008177975.tif 000023
【図２２】
2008177975.tif 000024